(57)【要約】【課題】構成が簡易で操作が容易な、固定板と水平翼によって効率よく米研ぎができる米研ぎ器を提供する。【解決手段】容器１０の内側に互いに一定間隔を保った複数の固定板１５を容器１０の半径方向に略水平に固定すると共に、容器１０の中心に回転軸２０を回動自在に保持し、この回転軸２０の表面に互いに一定間隔を保った複数の水平翼２４を容器１０の半径方向に略水平に固定し、上記回転軸１０を回転して水平翼２４を固定板１５の間隙を通過させることにより容器１０内の米を固定板１５と水平翼２４の表面で研ぐ。【選択図】　　　　　図１
2004057219.tif 000002
【特許請求の範囲】
【請求項１】
容器の内側に複数の固定板を一定間隔に保って容器の半径方向に略水平に固定すると共に、上記容器の中心に回転軸を回動自在に保持し、この回転軸の表面に複数の水平翼を一定間隔に保って容器の半径方向に略水平に固定し、
上記回転軸を回転して水平翼を上記固定板の間隙を通過させることにより容器内の米を水平翼と固定板の表面で研ぐことを特徴とする米研ぎ器。
【請求項２】
上記容器の上端に開口部を構成し、この開口部の一部にネット部を設けたことを特徴とする請求項１記載の米研ぎ器。
【請求項３】
上記固定板を容器の全周に亘って固定すると共に、水平翼を回転軸の全周に亘って固定したことを特徴とする請求項１または２記載の米研ぎ器。
【発明の詳細な説明】
【０００１】
【発明の属する技術分野】
本発明は、米粒の表面に付着している細かい糠などを落とすための米研ぎ器に関する。
【０００２】
【従来の技術】
本件出願人は、米粒の表面に付着している糠など落とすための米研ぎ器をすでに提案している（特開２００１−３４０２３９）。この米研ぎ器は、翼状の扁平材によって研ぎ部材を構成し、この研ぎ部材を回転軸に放射状に設け容器内で回転させて米粒を研ぐものであった。
【０００３】
【発明が解決しようとする課題】
上記米研ぎ器は、研ぎ部材である翼状の扁平材の上面に米粒と接触する平坦な上平面を形成して、この上平面は接触した米粒を転動させながら米研ぎを行うものである。しかしながら、この上平面を米粒が転動する際の摩擦力が小さいため米研ぎを完全には行うためには時間がかかった。
本発明は、回転する水平翼に加え容器内面に固定板を取りつけた構成によって米粒を効率よく研ぐことができる米研ぎ器を提供するものである。
【０００４】
【課題を解決するための手段】
本発明の要旨とするところは、容器の内側に複数の固定板を一定間隔に保って容器の半径方向に略水平に固定すると共に、上記容器の中心に回転軸を回動自在に保持し、この回転軸の表面に複数の水平翼を一定間隔に保って容器の半径方向に略水平に固定し、上記回転軸を回転して水平翼を上記固定板の間隙を通過させることにより容器内の米を水平翼と固定板の表面で研ぐことを特徴とする。
また、上記容器の上端に開口部を構成し、この開口部の一部にネット部を設けたことを特徴とする。
また、上記固定板を容器の全周に亘って固定すると共に、水平翼を回転軸の全周に亘って固定したことを特徴とする。
【０００５】
【発明の実施の形態】
本発明の一実施形態を図面に基づいて説明する。図１は米研ぎ器全体の一部切欠き分解斜視図、図２は米研ぎ器の中央縦断面正面図、図３は米研ぎ器の一部省略した平面図、図４は容器の平面図、図５は回転軸の平面図、図６は固定板と水平翼の関係を示す説明図及び図７は固定板の断面形状を示す説明図である。
【０００６】
本実施形態の米研ぎ器は、容器１０とその中心に設けた回転軸２０からなる。容器１０は、円筒形の容器本体１１と底板１２からなり、底板１２は２個の係止具３１によって容器本体１１に着脱自在に取り付けられている。
容器本体１１の上端は開口部１９を構成しているが、この開口部１９には、米粒を通さない程度の粗さの網からなる半円形状のネット部１４が設けられ、このネット部１４で開口部１９の略半分を覆っている。
また、容器本体１１の上端には、開口部１９の中心を横切って支持板１３が掛け渡してある。この支持板１３の中央の孔１３ａには、後述のように回転軸２０を保持するのである。
この容器本体１１の大きさは、本実施形態では直径１４ｃｍ程度、高さ１０ｃｍ程度としたがこれに限定されない。
【０００７】
上記容器１０の内側には固定板１５，１５・・が、容器本体１１の略半周上に５個設けられていて、容器１０の半径方向に水平に張り出されている。
この固定板１５，１５・・は互いに一定の間隔を保っている。つまりそれぞれの固定板１５は、互いに左右方向と上下方向に一定の間隔を有して設けられている。例えば、図６に示すように２個の固定板１５の高さの間隔Ｌ１は約１５ｍｍ、幅は図４に示すように、１８０度を略５等分した約３６度の間隔で、螺旋階段状に設けられている。
【０００８】
上記の固定板１５は、容器本体１１の全周に亘って設けることもでき、さらに任意の周長に設けることもできる。また、本実施形態では５個であるが、この個数も任意である。そのため、上記のように固定板１５を設ける範囲と個数等の状況によって固定板１５，１５・・の互いの間隔は異なってくるのであり、状況に応じて適宜決定するのである。
また、固定板１５の長さは４〜５ｃｍ、幅は１ｃｍ程度が好ましく、断面形状は図７に示すように、多少楕円形状となっている。
【０００９】
上記容器１０の中央には回転軸２０を回転自在に取りつける。すなわち、上部の支持板１３の孔１３ａに回転軸２０を貫通して、回転軸２０の下端２２は底板１２の凹部１２ａに回動自在に嵌合させるのである。
図中、符号２５は回転軸２０を回転させるハンドルである。
【００１０】
この回転軸２０の周囲には水平翼２４の取付部２１を固定している。
上記取付部２１の表面には、水平翼２４，２４・・が、取付部２１の半周上に６個設けられていて、容器１０の半径方向に水平に張り出されている。
この水平翼２４，２４・・は互いに一定の間隔を保っている。つまりそれぞれの水平翼２４は互いに左右方向と上下方向に一定の間隔を有して設けられ、かつ回転時には上記固定板１５，１５・・の間隙を通過できる位置に設けてある。
図６に示すように２個の水平翼２４の高さの間隔Ｌ２は約１５ｍｍであり、幅は図５に示すように１８０度を略５等分した約３６度の間隔で、取付部２１の周面に螺旋階段状に設けられている。
【００１１】
上記の水平翼２４は、取付部２１の全周に設けることもでき、さらに任意の周長に設けることもできる。また、本実施形態では６個であるが、この個数も任意である。そのため、上記のように水平翼２４を設ける範囲と個数等の状況によって水平翼２４，２４・・の互いの間隔は異なってくるのであり、状況に応じて適宜決定するのである。
また、水平翼２４の長さは４〜５ｃｍ、幅は１ｃｍ程度が好ましく、断面形状は固定板１５と同様に多少楕円形状となっている。
【００１２】
次に上記構成の米研ぎ器の米研ぎの操作について説明する。
容器本体１１に底板１２を係止具３１で固定し、支持板１３の孔１３ａと底板１２の凹部１２ａに回転軸２０を回動自在に取り付ける。
その後、容器１０内に適量の米を入れて、それと同量の水を入れる。そして、ハンドル２５を回して回転軸２０と水平翼２４を回転させて米研ぎを行う。
【００１３】
このとき、水平翼２４は上述のような位置に固定されているため、各水平翼２４は、それぞれ固定板１５、１５の間を通って回転する。すなわち最上段の固定板１５は、最上段の水平翼２４の下部に位置しているため、水平翼２４の回転に伴い水平翼２４の下面と固定板１５の上面とによって米をこすって研ぐ。
また、上から２段目の水平翼２４は、その上面と最上段の固定板１５の下面との間で米を研ぎ、次いで下面と上から２段目の固定板１５の上面との間で米を研いでいく。このように、米は順次、水平翼２４の上面と固定板１５の下面、水平翼２４の下面と固定板１５の上面の表面でこすれて研がれていくのである。
【００１４】
図６に示すように、固定板１５と水平翼２４の間隔Ｌ３、Ｌ４は、６〜７ｍｍに設定している。この間隔Ｌ３、Ｌ４が狭すぎると、固定板１５、１５の間に米が詰まりすぎて水平翼２４が回転できなったり、米が欠けたりする。また、米は縦の長さが約５ｍｍなので、米の詰まりと米の欠けることを防止するために、上記間隔Ｌ３、Ｌ４を６〜７ｍｍとしたのである。
【００１５】
ハンドル２５の回転は、例えば右３回転の後、左２回転を１セットとして、３〜４セット行うと良い。すなわちハンドル２５を反転しながら行うと米研ぎが効率よく行えるのである。
その後、容器１０をネット部１４側に傾け内部の水だけを外に流す。このとき米は、ネット部１４に止められて外へ流れでないため、米研ぎ作業が非常に効率よく行える。上記の動作を３〜４回繰り返すと米が研ぎあがる。
【００１６】
【発明の効果】
本発明の米研ぎ器は以下の効果を奏する。米研ぎ器の容器に固定板を、そして回転軸には水平翼を形成したことから、この水平翼が固定板の間を通過することによって固定板と水平翼の表面と接する米がこすられて米研ぎが行われる。
したがって、上記構成の米研ぎ器は、構成が簡易かつ操作も簡単でありながら米を能率良く研ぐことができるのでる。
【図面の簡単な説明】
【図１】本発明の一実施形態の一部切欠き分解斜視図
【図２】本発明の一実施形態の中央縦断面正面図
【図３】本発明の一実施形態の一部省略した平面図
【図４】本発明の一実施形態を示す容器の平面図
【図５】本発明の一実施形態の回転軸の平面図
【図６】固定板と水平翼の関係を示す説明図
【図７】固定板の断面形状を示す説明図
【符号の説明】
１０　　容器
１１　　容器本体
１２　　底板
１２ａ　凹部
１３　　支持板
１３ａ　孔
１４　　ネット部
１５　　固定板
１９　　開口部
２０　　回転軸
２１　　取付部
２４　　水平翼
２５　　ハンドル
３１　　係止具
Ｌ１　　固定板の高さの間隔
Ｌ２　　水平翼の高さの間隔
Ｌ３，Ｌ４　固定板と水平翼の高さの間隔
【図１】
2004057219.tif 000003
【図２】
2004057219.tif 000004
【図３】
2004057219.tif 000005
【図４】
2004057219.tif 000006
【図５】
2004057219.tif 000007
【図６】
2004057219.tif 000008
【図７】
2004057219.tif 000009
【手続補正書】
【提出日】平成15年9月12日(2003.9.12)
【手続補正１】
【補正対象書類名】明細書
【補正対象項目名】００１３
【補正方法】変更
【補正の内容】
【００１３】
このとき、水平翼２４は上述のような位置に固定されているため、各水平翼２４は、それぞれ固定板１５、１５の間を通って回転する。すなわち最上段の固定板１５は、最上段の水平翼２４の下部に位置しているため、水平翼２４の回転に伴い水平翼２４の下面と固定板１５の上面とによって米をこすって研ぐ。
また、上から２段目の水平翼２４は、その上面と最上段の固定板１５の下面との間で米を研ぎ、次いで下面と上から２段目の固定板１５の上面との間で米を研いでいく。このように、米は順次、水平翼２４の上面と固定板１５の下面、水平翼２４の下面と固定板１５の上面の表面でこすれて研がれていくのである。
このように水平翼２４を回転させて米粒を流動させて、固定板１５の上面と下面にきたときに米を瞬時静止させてつぶすようにしてこすって研ぐのである。この作用は全周にわたって行われる。


【手続補正２】
【補正対象書類名】明細書
【補正対象項目名】００１４
【補正方法】変更
【補正の内容】
【００１４】
図６は固定板と水平翼の関係を示す図であり、水の中で米研ぎを行う固定板１５と水平翼２４の間隔Ｌ３、Ｌ４は、６〜７ｍｍに設定している。この間隔Ｌ３、Ｌ４が狭すぎると、固定板１５、１５の間に米が詰まりすぎて水平翼２４が回転できなかったり、米が欠けたりする。また、米は縦の長さが約５ｍｍ、厚さが約２ｍｍなので、米の詰まりと米の欠けることを防止するために、上記間隔Ｌ３、Ｌ４を６〜７ｍｍとしたのである。